(57)【特許請求の範囲】
【請求項１】
ワイヤレス通信のための方法であって、
共有スペクトル内で送信をスケジュールするステップと、
受信信号を取得するために前記送信の間に前記共有スペクトルの少なくとも一部を走査するステップと、
前記受信信号上の前記送信によって引き起こされた干渉を前記受信信号から少なくとも部分的に消去するステップであって、自己干渉消去回路を使用して前記受信信号を処理するステップを含む、消去するステップと、
前記受信信号が前記共有スペクトルの1次ユーザによる使用を示すかどうかを決定するステップと
を含み、
前記スケジュールするステップが、他の選択されない送信特性と比較して、前記消去するコストを低減する、前記送信の送信特性を選択するステップを含む、方法。
【請求項２】
前記送信が単入力単出力(SISO)送信であり、前記送信をスケジュールする前記ステップが、多入力多出力(MIMO)送信の間に前記SISO送信をスケジュールするステップを含む、請求項1に記載の方法。
【請求項３】
トラフィック負荷に応じて、前記MIMO送信間の送信ギャップがスケジュールされると決定するステップであって、前記送信ギャップが何のスケジュールされた送信も有さない、決定するステップ
をさらに含み、
前記送信ギャップの間に前記自己干渉消去回路による前記受信信号の前記処理は迂回される、請求項2に記載の方法。
【請求項４】
前記スケジュールするステップが、送信デバイスのトラフィック負荷、前記SISO送信のスループット、前記自己干渉消去回路の電力消費のうちの1つまたは複数に基づく、請求項2に記載の方法。
【請求項５】
前記スケジュールするステップが、ユーザ機器からのフィードバックに基づいて、前記SISO送信を受信するための前記ユーザ機器を選択するステップであって、前記フィードバックが、前記ユーザ機器がMIMO送信を受信することができないことを示す、選択するステップを含む、請求項2に記載の方法。
【請求項６】
前記スケジュールするステップが、複数のユーザ機器間で前記SISO送信および前記MIMO送信を割り振るための公平性基準に基づいて、前記SISO送信のためのユーザ機器を選択するステップを含む、請求項2に記載の方法。
【請求項７】
複数のアンテナから、前記SISO送信の受信側の空間特性に基づいて、前記SISO送信のためのアンテナを選択するステップをさらに含む、請求項2に記載の方法。
【請求項８】
前記複数のアンテナに関する自己干渉消去回路パラメータを記憶するステップをさらに含み、前記消去するステップが、前記選択されたアンテナに関して前記自己干渉消去回路パラメータを使用して前記受信信号を処理するステップを含む、請求項7に記載の方法。
【請求項９】
前記送信を前記スケジュールするステップが、
キャリアアグリゲーションが前記送信のために使用されると決定するステップと、
前記キャリアアグリゲーションのための潜在的キャリアが前記1次ユーザによる使用の対象であると決定するステップと、
前記潜在的キャリアを含めて、キャリアの潜在的な組合せに関する自己干渉消去複雑度を決定するステップと、
前記自己干渉消去複雑度に少なくとも部分的に基づいて、前記キャリアアグリゲーションのために1つまたは複数のキャリアを選択するステップと
を含む、請求項1に記載の方法。
【請求項１０】
前記自己干渉消去複雑度に基づいて、キャリアの前記潜在的な組合せに重みを割り当てるステップをさらに含み、前記キャリアアグリゲーションのための前記1つまたは複数を前記選択するステップが、チャネル干渉およびユーザのリンク品質に基づく重みにさらに基づく、請求項9に記載の方法。
【請求項１１】
前記自己干渉消去複雑度に基づいてキャリアに割り当てられた前記重みが送信負荷に基づいて変化する、請求項10に記載の方法。
【請求項１２】
前記自己干渉消去複雑度に基づいてキャリアに割り当てられた前記重みが、前記1次ユーザを検出するための送信ギャップをスケジュールすることに関連するシステム容量の損失に依存する、請求項10に記載の方法。
【請求項１３】
前記キャリアアグリゲーションのための潜在的キャリアが前記1次ユーザによる使用の対象であると前記決定するステップが、前記潜在的キャリアがレーダー検出の対象であるチャネル内にあると決定するステップを含む、請求項9に記載の方法。
【請求項１４】
ワイヤレス通信のための装置であって、請求項1乃至13の何れか1項に記載の方法を実施するように構成された手段を備える、装置。
【請求項１５】
コンピュータ実行可能コードを記憶するコンピュータ可読記憶媒体であって、請求項1乃至13の何れか1項に記載の方法を実施するように構成された命令を含む、コンピュータ可読記憶媒体。
【発明の詳細な説明】
【技術分野】
【０００１】
優先権の主張
本出願は、参照によりその全体が本明細書に組み込まれている、2014年8月12日に出願した、「Methods and Apparatus for Adapting Transmitter Configuration for Efficient Concurrent Transmission and Radar Detection Through Adaptive Self-Interference Cancellation」と題する非仮出願第14/457,416号、および2014年4月11日に出願した、「Methods and Apparatus for Adapting Transmitter Configuration for Efficient Concurrent Transmission and Radar Detection Through Adaptive Self-Interference Cancellation」と題する仮出願第61/978,596号の優先権を主張するものである。
【０００２】
本開示の態様は、概して、ワイヤレス通信に関し、より詳細には、同時の送信およびレーダー検出のための技法に関する。
【背景技術】
【０００３】
ワイヤレス通信ネットワークは、音声、ビデオ、パケットデータ、メッセージング、ブロードキャストなどの種々の通信サービスを提供するために広く展開されている。これらのワイヤレスネットワークは、利用可能なネットワークリソースを共有することによって複数のユーザをサポートすることができる多元接続ネットワークとすることができる。そのような多元接続ネットワークの例は、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークを含む。
【０００４】
ワイヤレス通信ネットワークは、いくつかのユーザ機器(UE)についての通信をサポートし得るいくつかのeNodeBを含み得る。UEは、ダウンリンクおよびアップリンクを介してeNodeBと通信し得る。ダウンリンク(または、順方向リンク)は、eNodeBからUEまでの通信リンクを指し、アップリンク(または、逆方向リンク)は、UEからeNodeBまでの通信リンクを指す。
【０００５】
従来の基地局を補足するために、追加の、小カバレージの基地局もしくはセルと呼ばれる制限された電力または制限されたカバレージの基地局が、よりロバストなワイヤレスカバレージをモバイルデバイスに提供するために展開され得る。たとえば、ワイヤレス中継局および(一般にホームNodeBまたはホームeNBと呼ばれ、H(e)NB、フェムトセル、ピコセルなどと総称できる)低電力基地局は、漸進的な容量の増大、より豊かなユーザ体験、屋内または他の固有の地理的カバレージなどのために展開することができる。そのような(たとえば、マクロネットワーク基地局またはセルに対して)低い電力または小カバレージの基地局は、モバイル事業者ネットワークへのバックホールリンクを提供し得る、ブロードバンド接続(たとえば、デジタル加入者回線(DSL)ルータ、ケーブルモデムまたは他のモデム、など)を介してインターネットに接続され得る。したがって、たとえば、小カバレージ基地局は、ブロードバンド接続を介して1つまたは複数のデバイスにモバイルネットワークアクセスを提供するために、ユーザの家庭に展開され得る。そのような基地局の展開は計画外なので、複数の局が互いの近傍内に展開された場合、低電力基地局は互いに干渉する可能性がある。
【０００６】
共有スペクトルの一部におけるワイヤレスデバイスの動作は、共有スペクトルの1次ユーザの検出を必要とし得る。たとえば、5GHz帯域の部分など、無認可のスペクトルのいくつかの部分における動作は、レーダーシステムとの干渉を避けるために、動的周波数選択(DFS:dynamic frequency selection)によるレーダー検出を必要とする。異なる調整領域は異なる要件を有し得る。レーダーを検出するために、ワイヤレスデバイスは、媒体を聴取し、レーダーが存在するかどうかを検出するためにデバイスが静かな送信ギャップを作成する必要がある。レーダー信号が存在する場合、デバイスは調整タイミング要件に従ってチャネルを無効にする必要がある。送信ギャップは、DFSを必要とするスペクトルの一部を使用するワイヤレスデバイスに関するシステムスループットおよび容量を低減させる。
【０００７】
前述のことを考慮して、現在のDFS技術に関連して大きい問題および欠点がある場合があることが理解され得る。
【先行技術文献】
【非特許文献】
【０００８】
【非特許文献１】Bharadiら、「Full Duplex Radios」SIGCOMM '13 Proceedings of the ACM SIGCOMM 2013 conference on SIGCOMM、375〜386頁
【発明の概要】
【課題を解決するための手段】
【０００９】
図面に関して、ここで様々な態様について記述する。以下の説明では、説明の目的で、1つまたは複数の態様を完全に理解できるように多数の具体的な詳細を記載する。しかし、そのような態様がこれらの具体的な詳細なしに実施されてもよいことは、明らかであろう。以下で、1つまたは複数の態様の基本的理解を与えるために、そのような態様の簡略化された概要を提示する。
【００１０】
一態様では、本開示は、ワイヤレス通信のための方法を提供する。本方法は、共有スペクトル内で送信をスケジュールするステップと、受信信号を取得するために送信の間に共有スペクトルの少なくとも一部を走査するステップと、受信信号上の送信によって引き起こされた干渉を受信信号から少なくとも部分的に消去するステップであって、自己干渉消去を使用して受信信号を処理するステップを含む、消去するステップと、受信信号が共有スペクトルの1次ユーザによる使用を示すかどうかを決定するステップとを含み得る。
【００１１】
本開示は、別の態様において、ワイヤレス通信のための装置を提供する。本装置は、共有スペクトル内で送信をスケジュールするための手段と、受信信号を取得するために送信の間に共有スペクトルの少なくとも一部を走査するための手段と、受信信号上の送信によって引き起こされた干渉を受信信号から少なくとも部分的に消去するための手段であって、消去することが自己干渉消去回路を使用して受信信号を処理することを含む、消去するための手段と、受信信号が共有スペクトルの1次ユーザによる使用を示すかどうかを決定するための手段とを含み得る。
【００１２】
一態様では、本開示は、コンピュータ実行可能コードを記憶する非一時的コンピュータ可読媒体を提供する。本コンピュータ可読媒体は、共有スペクトル内で送信をスケジュールすることと、受信信号を取得するために送信の間に共有スペクトルの少なくとも一部を走査することと、受信信号上の送信によって引き起こされた干渉を受信信号から少なくとも部分的に消去することであって、自己干渉消去回路を使用して受信信号を処理するステップを含む、消去することと、受信信号が共有スペクトルの1次ユーザによる使用を示すかどうかを決定することとを行うための命令を含み得る。
【００１３】
本開示の別の態様は、ワイヤレス通信のための別の装置を提供する。本装置は、共有スペクトル内で送信をスケジュールするように構成されたスケジューリング構成要素と、受信信号を取得するために送信の間に共有スペクトルの少なくとも一部を走査するように構成された受信機と、受信信号上の送信によって引き起こされた干渉を受信信号から少なくとも部分的に消去するように構成された自己干渉消去回路と、受信信号が共有スペクトルの1次ユーザによる使用を示すかどうかを決定するように構成されたプロセッサとを含み得る。
【００１４】
本開示の様々な態様および特徴について、添付の図面に示すそれらの様々な例を参照しながら以下でさらに詳細に説明する。本開示について、様々な例を参照しながら以下で説明するが、本開示はそれらに限定されないことを理解されたい。本明細書の教示を利用できる当業者は、本明細書で説明する本開示の範囲内であるとともに本開示がそれらに関してかなり有用であり得る、追加の実装形態、変更形態、および例、ならびに他の使用分野を認識されよう。
【図面の簡単な説明】
【００１５】
【図１】本開示の一態様による、電気通信システム10の例を概念的に示すブロック図である。
【図２】1次ユーザ検出の間に同時に送信するための方法の態様を示す流れ図である。
【図３】レーダー検出の間に同時に送信するための方法の態様を示す流れ図である。
【図４】レーダー検出の間に同時に送信するための方法の態様を示す流れ図である。
【図５】本開示によって企図される、電気的構成要素の論理グルーピングの態様を示すブロック図である。
【図６】本開示によって企図される、電気的構成要素の論理グルーピングの態様を示す別のブロック図である。
【図７】本開示の態様による、電気通信システムにおけるダウンリンクフレーム構造の一例を概念的に示すブロック図である。
【図８】本開示の態様による連続的キャリアアグリゲーションタイプを示す図である。
【図９】本開示の態様による非連続的キャリアアグリゲーションタイプを示す図である。
【図１０】ネットワーク環境内でのアクセスポイント基地局の展開を可能にするための例示的な通信システムを示す図である。
【図１１】本開示による、コンピュータデバイスの態様を示すブロック図である。
【図１２】処理システムを採用する装置に関するハードウェア実施態様の一例を示すブロック図である。
【図１３】電気通信システムの一例を概念的に示すブロック図である。
【図１４】アクセスネットワークの一例を示す概念図である。
【図１５】電気通信システムにおいてUEと通信しているNodeBの一例を概念的に示すブロック図である。
【発明を実施するための形態】
【００１６】
添付の図面に関して以下に記載する詳細な説明は、種々の構成の説明として意図されており、本明細書で説明する概念を実施することができる唯一の構成を表すことは意図されていない。詳細な説明は、様々な概念の完全な理解をもたらすことを目的とした具体的な詳細を含む。しかしながら、これらの具体的な詳細なしにこれらの概念が実施される場合があることは当業者には明らかであろう。場合によっては、そのような概念を曖昧にすることを回避するために、よく知られている構成要素はブロック図の形態で示されている。
【００１７】
本明細書で説明する技法は、CDMA、TDMA、FDMA、OFDMA、SC-FDMAおよび他のネットワークのような、種々のワイヤレス通信ネットワークのために使用される場合がある。「ネットワーク」および「システム」という用語は多くの場合に互換的に使用される。CDMAネットワークは、ユニバーサル地上無線アクセス(UTRA:Universal Terrestrial Radio Access)、cdma2000などの無線技術を実装することができる。UTRAは、広帯域CDMA(WCDMA（登録商標）)およびCDMAの他の変形を含む。cdma2000は、IS-2000規格、IS-95規格、およびIS-856規格をカバーする。TDMAネットワークは、モバイル通信用グローバルシステム(GSM（登録商標）:Global System for Mobile Communications)などの無線技術を実装し得る。OFDMAネットワークは、発展型UTRA(E-UTRA:Evolved UTRA)、ウルトラモバイルブロードバンド(UMB:Ultra Mobile Broadband)、IEEE802.11(Wi-Fi)、IEEE802.16(WiMAX)、IEEE802.20、Flash-OFDMAなどの無線技術を実装することができる。UTRAおよびE-UTRAは、ユニバーサルモバイルテレコミュニケーションシステム(UMTS:Universal Mobile Telecommunication System)の一部である。3GPPロングタームエボリューション(LTE:Long Term Evolution)およびLTEアドバンスト(LTE-A:LTE-Advanced)は、E-UTRAを使用するUMTSの新しいリリースである。UTRA、E-UTRA、UMTS、LTE、LTE-A、およびGSM（登録商標）は、「第3世代パートナーシッププロジェクト」(3GPP:3rd Generation Partnership Project)という名称の組織からの文書内に記載されている。cdma2000およびUMBは、「第3世代パートナーシッププロジェクト2(3GPP2:3rd Generation Partnership Project 2)」という名称の組織からの文書に記載されている。本明細書で説明する技法は、上記のワイヤレスネットワークおよび無線技術、ならびに他のワイヤレスネットワークおよび無線技術のために使用することができる。明確にするために、それらの技法のいくつかの態様がLTEについて以下に説明され、以下の説明の多くにおいて、LTE用語が用いられる。
【００１８】
自己干渉消去は、DFSを必要とする周波数においてレーダーを検出するための仮想送信ギャップを作成するために使用され得る。すなわち、同時に受信されている信号上で送信されている信号によって引き起こされた干渉の大部分またはすべては消去されるか、または受信信号から除去され得るため、自己干渉消去は、さもなければ、信号送信が起こらないことになる期間の間(たとえば、送信における空隙またはギャップの間)信号を送信するために使用され得る。基本的に、自己干渉消去は受信信号からの送信信号を消去するために使用され得る。自己干渉消去は、しかしながら、様々なコストをもたらす。たとえば、送信ギャップを使用することと比較して、自己干渉消去は回路の複雑度および電力消費を増大し得る。したがって、動的周波数選択(DFS)を必要とする周波数帯域内で動作するワイヤレスデバイスは、自己干渉消去を選択的に適用し、自己干渉消去要件に基づいて、送信特性を選択することができる。
【００１９】
具体的には、システム負荷がそうすることを有利にするとき、たとえば、送信スケジューリングが送信を必要とする何のデータも存在しない自然の送信ギャップ(たとえば、信号送信における実際のギャップまたは空隙)を含まないとき、ワイヤレスデバイスは自己干渉消去を適用することができる。自己干渉消去のコストを低減する送信性質を選択することができる。たとえば、自己干渉消去は、単入力単出力(SISO)送信など、特定のタイプの送信に限定され得る。別の例として、自己干渉消去のコストを低減するキャリアアグリゲーションのためのチャネル結合を選択することができる。たとえば、非連続的バンド内キャリアと比較して、バンド間キャリアおよび連続的バンド内キャリアがキャリアアグリゲーションに関して好ましい場合があるが、これは自己干渉消去の実装が後者に関してより複雑および/または困難であり得るためである。
【００２０】
本開示についてより完全な理解を促すために、ここで、同様の要素は同様の数字を用いて参照される添付の図面について言及する。これらの図面は、本開示を制限するものと解釈されるべきではなく、説明のみを意図するものである。
【００２１】
図1は、本開示の一態様による、電気通信システム10の例を概念的に示すブロック図である。例示のために、互いに通信する、1つまたは複数のアクセス端末、アクセスポイント、およびネットワークエンティティの文脈において、本開示の様々な態様について説明する。しかしながら、本明細書の教示は、他の専門用語を使用して参照される、他のタイプの装置または他の同様の装置に適用可能であり得ることを諒解されたい。たとえば、様々な実装形態では、アクセスポイントは、基地局、NodeB、eNodeB、ホームNodeB、ホームeNodeB、スモールセル、マクロセル、フェムトセルなどと呼ばれること、またはそれらとして実装されることがあり、一方、アクセス端末は、ユーザ機器(UE)、移動局などと呼ばれること、またはそれらとして実装されることがある。いくつかの態様では、アクセスポイントは、ネットワークエンティティと呼ばれる場合もあるか、またはネットワークエンティティの一部として含まれる場合がある。
【００２２】
本明細書で使用する「スモールセル」という用語は、マクロセルの送信電力および/またはカバレージエリアと比較して、相対的に低い送信電力および/または相対的に小さいカバレージエリアのセルを指す。さらに、「スモールセル」という用語は、限定はしないが、フェムトセル、ピコセル、アクセスポイント基地局、ホームNodeB、フェムトアクセスポイント、またはフェムトセルなどのセルを含み得る。たとえば、マクロセルは、限定はしないが、半径数キロメートルなどの比較的大きい地理的エリアをカバーすることができる。対照的に、ピコセルは、限定はしないが、建物などの相対的に小さい地理的エリアをカバーすることができる。さらに、フェムトセルも、限定はしないが、家、または建物のフロアなどの相対的に小さい地理的エリアをカバーすることができる。
【００２３】
本開示は、いくつかの態様では、自己干渉消去を使用して、同時の1次ユーザ検出および送信を容易にする技法に関する。一態様では、共有スペクトルの1次ユーザは、レーダー動作に関連する共有スペクトルのユーザを指す場合があるのに対して、共有スペクトルの2次ユーザはレーダー動作に関連しない共有スペクトルの任意の他のユーザを指す場合がある。無認可のスペクトルなど、共有スペクトルのいくつかの部分において1次ユーザ検出が必要とされ得る。便宜上、無認可の無線周波数(RF)帯域内のアプリケーションのためのLTEおよび/またはLTEアドバンストの使用、動作、拡張、および/または適応は、本明細書では、「無認可のスペクトルにおけるLTE/LTEアドバンスト」、「無認可のスペクトルにおけるLTE/LTEアドバンストの適応」、「LTE/LTEアドバンストの無認可のスペクトルへの拡張」、および「無認可のスペクトルを介したLTE/LTEアドバンスト通信」などを呼ばれる場合がある。その上、無許可スペクトルにおいてLTE/LTEアドバンストを提供し、適合させ、または拡張するネットワークまたはデバイスは、コンテンションに基づく無線周波数帯域またはスペクトルにおいて動作するように構成されるネットワークまたはデバイスを指し得る。
【００２４】
一態様では、電気通信システム10は、スペクトルの共有部分を使用して通信することができる様々なデバイスを含み得る。一例では、スペクトルの共有部分は、スペクトルの無認可の部分を含み得る。スペクトルの共有部分は、たとえば、2つ以上の技術またはネットワークによる使用を可能にする任意の周波数帯域を含み得る。たとえば、デバイスは、無認可全国情報インフラストラクチャ(U-NII:unlicensed national information infrastructure)無線帯域と呼ばれる場合もある、5GHz帯域の一部を使用することができる。一態様では、デバイスは、動的周波数選択(DFS)またはレーダー回避を必要とするスペクトルの一部、たとえば、U-NII-2帯域を使用することができる。一態様では、レーダーは、U-NII-2帯域の1次ユーザと見なされ得る。別の態様では、様々なタイプのワイヤレス通信動作は、場合によっては、U-NII-2帯域の2次ユーザと呼ばれる場合があるU-NII-2帯域のユーザでもあり得る。しかしながら、異なる調整領域は、DFSまたはレーダー回避に関して異なる要件を有し得る(たとえば、異なる調整領域はレーダー動作に関して異なる帯域を使用し得る)。共有スペクトルの他の例には、たとえば、TVホワイトスペース、および3.5GHz帯域など、軽度に認可されたスペクトル(lightly licensed spectrum)がある。1次ユーザの他の例は、アナログTV、デジタルTV、ワイヤレスマイクロフォン、緊急サービス、および政府機関を含み得る。1次ユーザは、一般に、他の(たとえば、2次)ユーザと比較するとき、そのそれぞれの共有スペクトルに対して何らかのレベルの優先度または選好を有し得る。電気通信システム10は、レーダーデバイス12と、ワイヤレスネットワーク14と、スモールセルノード16と、ユーザ機器18、20とを含み得る。
【００２５】
一態様では、レーダーデバイス12は、レーダーを使用する任意のデバイスであってよく、スモールセルノード16および/またはユーザ機器18、20によって使用される周波数帯域またはスペクトル内でレーダー信号を送信および/または受信することができる。たとえば、レーダーデバイス12は、空港ドップラー気象レーダー(TDWR:terminal Doppler weather radar)システムを含み得る。レーダーデバイス12は、他のデバイスに対してスペクトルの無許可部分の使用を選好する1次ユーザであり得る。レーダーデバイス12は、地理的領域内の他のデバイスによって検出され得る信号を周期的に送信することができる。関連規制は、他のデバイスに対してレーダーデバイス12に動作の選好が与えられなければならない地理的範囲および周波数範囲を画定し得る。一例では、関連規制は、他のデバイスが、レーダーデバイス12との干渉を回避するために、DFSまたは同様の技法を使用することを必要とし得る。
【００２６】
ネットワーク14は任意の通信ネットワークであり得る。いくつかの態様では、本明細書の教示は、マクロスケールカバレージ(たとえば、一般的にマクロセルネットワークと呼ばれる、3Gネットワークなどの広域セルラーネットワーク)と、より小規模のカバレージ(たとえば、住宅ベースまたは建築物ベースのネットワーク環境)とを含むネットワーク内で採用され得る。アクセス端末(「AT」)がそのようなネットワークを通じて移動する際、アクセス端末は、いくつかの位置では、マクロカバレージを提供するアクセスノード(「AN」)(たとえば、マクロノード)によってサービスされ得るが、一方、アクセス端末は、他の位置では、より小規模のカバレージを提供するアクセスノード(たとえば、スモールノード)によってサービスされ得る。マクロノードまたはスモールノードに関連付けられたセルは、それぞれ、マクロセルまたはスモールセルと呼ばれる場合がある。したがって、本明細書で使用する「スモールセル」または「スモールセルノード」という用語は、アクセスポイントまたはアクセスポイントの対応するカバレージエリアを指す可能性があり、この場合のアクセスポイントは、たとえば、マクロネットワークアクセスポイントまたはマクロセルの送信電力またはカバレージエリアと比較して、比較的低い送信電力または比較的小さいカバレージを有する。たとえば、マクロセルは、限定はしないが、半径数キロメートルなどの比較的大きい地理的エリアをカバーすることができる。対照的に、スモールセルは、限定はしないが、家屋、建物、または建物のフロアなどの、比較的小さい地理的エリアをカバーすることができる。いくつかの実装形態では、各セルは、1つまたは複数のセクタにさらに関連付けられ得る(たとえば、分割され得る)。
【００２７】
様々な適用例では、マクロノードまたはスモールノードを指すために、他の用語が使用され得る。たとえば、マクロノードは、アクセスノード、基地局、アクセスポイント、eNodeB、マクロセルなどとして構成されてよく、またはそのように呼ばれてよい。また、スモールノードは、ホームNodeB、ホームeNodeB、アクセスポイント基地局、フェムトセル、フェムトアクセスポイント、ピコセル、マイクロセルなどとして構成されてよいか、またはそのように呼ばれてよい。
【００２８】
一態様では、スモールセルノード16は、ネットワーク14に対する接続性を1つまたは複数のUE18、20に提供するためのアクセスポイントであり得る。スモールセルノード16は、1つまたは複数のUE18、20とワイヤレスに通信することができる。スモールセルノード16は、バックホールを通じてネットワーク14と通信することができる。スモールセルノード16は、1次ユーザ(たとえば、レーダーデバイス12の動作)の検出および回避を必要とする共有スペクトルの一部内で動作することができる。スモールセルノード16は、共有スペクトル(たとえば、無認可のスペクトル)内で同時に送信する(たとえば、UE18、20のうちの1つまたは両方に信号を送信する)間に、1次ユーザ検出を実行するために、自己干渉消去を選択的に使用するように構成されたDFS構成要素30を含み得る。一態様では、本開示内で使用する「構成要素」という用語は、システムを構成するパーツのうちの1つであってもよく、ハードウェアまたはソフトウェアであってもよく、他の構成要素(たとえば、副構成要素)に分割されてもよい。したがって、DFS構成要素30を有するスモールセルノード16は、1次ユーザ検出によって引き起こされるスループットの損失を低減し得る。たとえば、自己干渉消去が使用されるとき、スモールセルノード16は、1次ユーザ検出(たとえば、レーダー使用検出)の期間の間に依然として送信し、送信が1次ユーザ検出の期間の間に中断されるとき(たとえば、送信ギャップ)よりも高いスループットを可能にし得る。
【００２９】
DFS構成要素30は、回路、プロセッサ、メモリ、および/または共有スペクトル内で送信しながら1次ユーザ検出(たとえば、レーダー使用検出)を同時に実行するために自己干渉消去を選択的に使用するための他の手段など、ハードウェアを含み得る。DFS構成要素30はまた、ハードウェアとともに、DFS構成要素30が送信しながら1次ユーザ検出を実行することを可能にするソフトウェアまたは命令を含み得る。DFS構成要素30は、たとえば、自己干渉消去(SIC)回路32と、スケジューリング構成要素34と、チャネル選択構成要素38と、送信機40と、受信機42とを含めて、様々な副構成要素を含み得る。
【００３０】
一態様では、自己干渉消去回路32は、送信機40によって引き起こされた干渉を受信機42によって受信された信号から少なくとも部分的に消去するように構成された回路であり得る。自己干渉消去回路32は、SIC回路32などと呼ばれる場合もある。様々な自己干渉消去回路が当技術分野で知られている。1つのそのような自己干渉消去回路は、たとえば、Bharadiら、「Full Duplex Radios」SIGCOMM '13 Proceedings of the ACM SIGCOMM 2013 conference on SIGCOMM、375〜386頁に記載されている。自己干渉消去は、価格、複雑度、および電力消費などのコストをスモールセルノード16に課す場合がある。一態様では、「少なくとも部分的に」という用語は、干渉を消去することを指すとき、ソースからの干渉のうちの、すべてであるとは限らないが、一部が受信信号から除去されることを示し得る。送信機からの干渉を少なくとも部分的に消去することは、共有スペクトルの1次ユーザが検出され得るようなレベルに干渉を低減し得る。一態様では、SIC回路32は、ある種のタイプの送信を消去することに限定され得るか、または特定のモードで動作している間に送信を消去することに限定され得る。たとえば、複数の送信アンテナを使用するシステムでは、各受信アンテナ上の自己干渉消去は、対応する送信アンテナから送信される信号だけでなく、他のアンテナからのクロストークも考慮に入れる必要がある。そのような例では、SIC回路32は、干渉を十分に消去することが可能でない場合があるか、またはコスト、複雑度、もしくは電力消費が過剰になる場合がある。すなわち、複数のアンテナの各々の中で自己干渉消去を実行することができる自己干渉消去回路は、送信ギャップを使用するとき、それがスループットの損失に対する効率的な解決策となるように実装および動作するにはあまりにもコストがかかり過ぎる可能性がある。
【００３１】
一態様では、スケジューリング構成要素34は、送信およびレーダー検出をスケジュールするための送信期間を決定するように構成され得る。一態様では、スケジューリング構成要素34は、無線フレーム、サブフレーム、スロット、およびシンボル期間を含めて、LTEフレーム構造内で送信およびレーダー検出期間をスケジュールすることができる。スケジューリング構成要素34は、サブフレームレベルで、1つまたは複数のUEに対する送信をスケジュールし、1次ユーザ検出をスケジュールすることができる。たとえば、スケジューリング構成要素34は、検出されている1次ユーザの特性に基づいて、1次ユーザ検出に関する2つ以上の連続サブフレームをスケジュールすることができる。1次ユーザが、たとえば、レーダーデバイス12のレーダー動作であるとき、これらの特性は、レーダーパルス幅、レーダーバースト内のパルスの数、およびパルス反復間隔を含み得る。一態様では、スケジューリング構成要素34は、送信スケジュール内の自然なギャップ(たとえば、何の送信も存在しない間の期間)の間に1次ユーザ検出をスケジュールすることができる。自然ギャップはスモールセルノード16がより少ない送信を有する比較的軽い負荷を有するときに発生する可能性があり、したがって、1次ユーザ検出を実行するための送信におけるスケジューリングギャップはスモールセルノード16のスループットに影響を及ぼし得ない。スケジューリング構成要素34は、そのような自然な送信ギャップの間、自己干渉消去回路32を迂回すること(たとえば、一時的に無効化すること、または使用を回避すること)ができる。別の態様では、スケジューリング構成要素34は、1次ユーザ検出を可能にするための仮想送信ギャップをスケジュールすることができる。そのような仮想送信ギャップの間、したがって、スケジューリング構成要素34はまた、SIC回路32が受信信号内で1次ユーザによる使用を検出するために送信を十分に消去することができるように、送信パターンを使用してUEに対する送信をスケジュールすることができる。たとえば、スケジューリング構成要素34は、仮想送信ギャップの間にSISO送信パターンを使用して、受信信号上の送信からの干渉を消去するために、自己干渉消去回路32をアクティブ化することができる。すなわち、仮想送信ギャップにおいて、送信内に何の自然ギャップも存在せず、代わりに、SISO送信パターンに従って送信するための時間期間が割り当てられるか、またはスケジュールされ、同時に、自己干渉消去回路32によって消去された受信信号上の送信によって干渉影響を引き起こすことによって、受信信号から1次ユーザによる使用が検出される。スケジューリング構成要素34は、送信負荷に応じて、自然送信ギャップと仮想送信ギャップの混合をスケジュールし得る。たとえば、スケジューリング構成要素34は、自然送信ギャップに続いてサブフレーム内にSISO送信をスケジュールすることによって、1次ユーザ検出を可能にするように自然送信ギャップを拡張することができる。
【００３２】
一態様では、スケジューリング構成要素34はまた、1次ユーザ検出と同時に送信が発生し得るユーザを選択するように構成されたユーザランク付け構成要素36を含み得る。ユーザランク付け構成要素36は、能力に従って、ユーザまたはUEをランク付けし得る。たとえば、ランク1のユーザは、ランク1またはSISO送信だけを受信することが可能であり得るのに対して、ランク2のユーザは、MIMO送信を受信することが可能であり得る。ユーザランク付け構成要素36は、各UEによって報告されたフィードバックに従って、ユーザランクを決定することができる。たとえば、フィードバックは、各UEによって報告されたチャネル品質インジケータ(CQI)、ランクインジケータ(RI)、プリコーディング行列インジケータ(PMI)を含み得る。
【００３３】
仮想送信ギャップに関してスケジュールされたSISO送信は、1次ユーザ検出が実行されていないときにスケジュールされたMIMO送信よりも低いスループットを有し得る。スケジューリング構成要素34は、公平性基準を使用して、SISO送信のためにどのユーザがスケジュールされているかを決定するように構成され得る。たとえば、公平性基準の使用は、1つのユーザがより低いスループット送信だけを受信するのを避けるために、SISO送信をユーザ間で、循環様式でスケジュールさせることに関連し得る。公平性基準は、たとえば、最後のSISO送信以来の時間もしくは送信数、平均データ転送速度、または要求されたデータ転送速度の割合を含み得る。さらに、スケジューリング構成要素34は、SISO送信によってサービスされることになるユーザのリンク容量を増大する最良のアンテナを選択するために、ユーザ機器の空間チャネル特性に基づいて、SISO送信のためのアンテナを選択することができる。あるアンテナから他のアンテナへの、あるレーダー検出期間から次のレーダー検出期間からの切替えはまた、レーダー検出パターンの間にサービスさせることになるユーザ機器の空間チャネル特性に基づいて、またはUEからフィードバックされたチャネル状態情報に従って、適応され得る。スモールセルノード16は、あるアンテナから次のアンテナに切り替えるとき、各アンテナに関する適応干渉消去回路パラメータの複写を記憶することができる。アンテナのうちの1つに適応するために割り振られる時間量は、1次ユーザ検出(たとえば、レーダー検出)パターンの間にアンテナが使用される時間に比例させることができる。
【００３４】
一態様では、チャネル選択構成要素38は、キャリアアグリゲーションのための1つまたは複数のチャネルを選択するように構成され得る。チャネル選択構成要素38は、自己干渉消去複雑度重みに少なくとも部分的に基づくスマートチャネル選択アルゴリズムを使用することができる。自己干渉消去複雑度重みは、複数のキャリアを使用して統合された信号を消去する困難さまたはコストを示し得る。たとえば、非連続バンド内キャリアと比較して、キャリアアグリゲーションのためにはバンド間キャリアおよび連続バンド内キャリアが好ましい場合がある。バンド間キャリアは、フィルタを使用して、自己干渉消去の必要性を低減することができる。連続バンド内キャリアは、消去が比較的容易な線形干渉を作成し得る。しかしながら、非連続バンド内キャリアは、消去するのにより大きい回路複雑度および/または電力消費を必要とし得る非線形干渉を発生させる可能性がある。SIC回路32は、状況によっては、非線形干渉を消去することができない可能性があり、その場合、スケジューリング構成要素34は、送信の代わりに、1次ユーザ検出のための送信ギャップをスケジュールすることができる。送信ギャップの間、何の送信も可能にされ得ず、したがって、スループットを低減する。したがって、SIC回路32が特定のキャリア組合せの干渉を消去できないとき、自己干渉消去複雑度重みは最高であり得る。自己干渉消去複雑度重みは、自己干渉消去が必要かどうかに基づき得る。たとえば、自然送信ギャップは自己干渉消去なしに1次ユーザ検出のために使用され得るため、スケジューリング構成要素34が自然送信ギャップをスケジュールできるように、送信負荷が比較的軽い場合、自己干渉消去複雑度重みは最小であり得る。自己干渉消去が複雑であるか、またはこのキャリアの組合せに関して実現可能でないため、送信ギャップが必要な場合、重みは1次ユーザを聴取するために必要とされるギャップに関連するシステム容量内の損失を考慮に入れることができる。チャネル選択の間、スモールセル(たとえば、スモールセルノード16)は、加重式に基づいて、チャネルの最良の組合せを選択することができる。加重式は、各チャネル内のキャリアに関する自己干渉消去の複雑度に基づく重み、ならびに干渉レベルおよび異なるユーザに対するリンク品質などの標準チャネル選択属性に基づく重みを含み得る。
【００３５】
図2は、1次ユーザ検出の間に同時に送信するために共有スペクトル内の適応自己干渉消去のための例示的な方法60を示す。一態様では、ブロック62において、方法60は、共有スペクトル内で送信をスケジュールするステップを含み得る。たとえば、スケジューリング構成要素34は、共有スペクトル内で送信をスケジュールすることができる。スケジューリング構成要素34は、規制要件に基づいて、送信期間および1次ユーザ検出期間をスケジュールすることができる。たとえば、レーダー検出期間は、共有スペクトル内のチャネルの1次ユーザとして動作し得るか、または1次ユーザとして指定され得るレーダーデバイス(たとえば、図1のレーダーデバイス12)の検出を可能にするようにスケジュールされ得る。スケジューリング構成要素34は、1次ユーザ検出期間と同時に送信期間をスケジュールすることができる。一態様では、同時にスケジュールされた送信は、1次ユーザ検出を可能にするために、1次ユーザ信号上の送信によって引き起こされた干渉が消去され得る仮想送信ギャップの作成を可能にするためにSIC回路32によって消去され得る送信タイプであり得る。
【００３６】
一態様では、ブロック64において、方法60は、受信信号を取得するために送信の間に共有スペクトルの少なくとも一部を走査するステップを含み得る。たとえば、図1の受信機42は、受信信号を取得するために送信の間に共有スペクトルの少なくとも一部を走査することができる。送信機40は、送信のためにスケジュールされたデータを送信し得る。受信機42は、送信と同時に1次ユーザ検出期間の間に受信信号を聴取することができる。
【００３７】
一態様では、ブロック66において、方法60は、受信信号上の送信によって引き起こされた干渉を受信信号から少なくとも部分的に消去するステップを含み得る。たとえば、SIC回路32は、受信信号上の送信によって引き起こされた干渉を受信信号から少なくとも部分的に消去することができる。SIC回路32は、送信機40から送信されたSISO送信を取得して、受信機42によって受信された信号に自己干渉消去を適用することができる。SIC回路32は、送信のために使用されるパラメータに基づいて同調され得る。たとえば、SIC回路32は、送信アンテナのパラメータに基づいて同調され得る。SIC回路は、すべての自己干渉を完全に消去しなくてよい。むしろ、SIC回路32は、レーダーの使用または何らかの他の1次ユーザが検出可能なレベルに自己干渉(たとえば、送信によって引き起こされた干渉)を低減し得る。たとえば、SIC回路32は、規制要件によって画定された地理的エリア内のレーダー使用を検出するのに十分な自己干渉レベルを低減し得る。自己干渉消去の量は、SIC回路32の様々なパラメータを調整することによって構成され得る。
【００３８】
一態様では、ブロック68において、方法60は、受信信号が共有スペクトルの1次ユーザによる使用を示すかどうかを決定するステップを含み得る。DFS構成要素30は、受信信号が共有スペクトルの1次ユーザによる使用を示すかどうかを決定することができる。DFS構成要素30は、1次ユーザによる使用が検出された場合、動的周波数選択をさらに実行することができる。たとえば、DFS構成要素30は、スモールセルノード14および/またはUEに関して異なる周波数またはチャネルを選択し得る。
【００３９】
図3は、レーダー検出の間に同時に送信するための無認可スペクトル内の適応自己干渉消去のための例示的な方法70を示す。一態様では、ブロック72において、方法70は、MIMO送信間にSISO送信をスケジュールするステップを含み得る。たとえば、スケジューリング構成要素34は、MIMO送信間にSISO送信をスケジュールすることができる。MIMO送信間の期間はレーダー検出期間であり得る。スケジューリング構成要素34は、レーダー検出期間および送信期間をスケジュールすることができる。レーダー検出期間は、規制要件に基づいてスケジュールされ得る。たとえば、レーダー検出期間は、チャネルの1次ユーザとして指定されたレーダーデバイスの検出を可能にするようにスケジュールされ得る。MIMO送信は、スモールセル16など、ワイヤレスデバイスのための好ましい送信タイプであり得る。SISO送信は、1次ユーザの検出を可能にするために自己干渉が消去され得る仮想送信ギャップの作成を可能にするようにスケジュールされ得る。
【００４０】
一態様では、ブロック74において、方法70は、受信信号を取得するためにSISO送信の間にレーダー使用を走査するステップを含み得る。たとえば、受信機42は、受信信号を取得するためにSISO送信の間にレーダー使用を走査することができる。送信機40は、SISO送信のためにスケジュールされたデータを送信し得る。受信機42は、SISO送信と同時にレーダー検出期間の間に受信信号を聴取することができる。
【００４１】
一態様では、ブロック76において、方法70は、SISO送信によって引き起こされた干渉を受信信号から少なくとも部分的に消去するステップを含み得る。たとえば、SIC回路32は、SISO送信によって引き起こされた干渉を受信信号から少なくとも部分的に消去することができる。ブロック76は、上で論じたブロック66(図2)と同様であり得る。
【００４２】
一態様では、ブロック78において、方法70は、受信信号がレーダー使用を示すかどうかを決定するステップを含み得る。たとえば、DFS構成要素30は、受信信号がレーダー使用を示すかどうかを決定することができる。DFS構成要素30は、レーダー使用が検出された場合、動的周波数選択をさらに実行することができる。たとえば、DFS構成要素30は、スモールセルノード14および/またはUE18、20に関して異なる周波数またはチャネルを選択し得る。
【００４３】
図4は、レーダー検出の間に同時に送信するための無認可スペクトル内の適応自己干渉消去のための例示的な方法80を示す。ブロック82において、方法80は、キャリアアグリゲーションが送信のために使用されることになると決定するステップを含み得る。スケジューリング構成要素34は、キャリアアグリゲーションが送信のために使用されるかどうかを決定することができる。スケジューリング構成要素34は、1つまたは複数の送信のためにキャリアアグリゲーションの使用を決定することができる。
【００４４】
ブロック84において、方法80は、キャリアアグリゲーションのための潜在的キャリアがレーダー検出の対象であると決定するステップを含み得る。たとえば、チャネル選択構成要素38は、潜在的キャリアがレーダー検出の対象であるかどうかを決定することができる。チャネル選択構成要素38は、たとえば、規制要件または標準要件に基づいて、潜在的キャリアがレーダー検出の対象であるかどうかを決定することができる。チャネル選択構成要素38は、潜在的キャリアがレーダー検出の対象であるチャネル内にあると決定することによって、潜在的キャリアがレーダー検出の対象であると決定することができる。
【００４５】
ブロック86において、方法80は、潜在的キャリアを含めて、キャリアの潜在的な組合せに関する自己干渉消去複雑度を決定するステップを含み得る。たとえば、自己干渉消去の複雑度は、SIC回路32の構成に基づいて決定され得る。一態様では、SIC回路32は少なくとも非線形自己干渉を除去することが可能なフィルタを含み得るため、バンド間キャリアを含むキャリアの組合せは比較的低い複雑度を有し得る。一態様では、連続バンド内キャリアを含むキャリアの組合せも比較的低い複雑度を有し得る。連続キャリアを使用する送信信号は、自己干渉消去のために単一のキャリアを使用する広帯域信号と同様であり得る。一態様では、非連続バンド内キャリアを使用するキャリアの組合せは消去が比較的困難であり得る。非連続キャリアを使用する送信は、消去が困難出あり得る非線形干渉をもたらし得る。一態様では、SIC消去回路32は、非線形干渉を適切に消去することができない場合がある。そのような場合、スケジューリング構成要素34は、レーダー検出期間のために何の送信も有さない送信ギャップをスケジュールする必要があり得る。
【００４６】
ブロック88において、方法80は、自己干渉消去複雑度に少なくとも部分的に基づいて、キャリアアグリゲーションのために1つまたは複数のキャリアを選択するステップを含み得る。たとえば、チャネル選択構成要素38は、キャリアアグリゲーションに使用するための1つまたは複数のキャリアを選択することができる。チャネル選択構成要素38は、チャネル選択のために、選択されたキャリアを含むチャネルを選択することもできる。自己干渉消去複雑度は、チャネル干渉および異なるユーザに対するリンク品質など、他のチャネル選択要因とともに考慮され得る。
【００４７】
一態様では、方法80は、上で論じた方法60の態様をさらに含み得る。たとえば、方法80は、受信信号を取得するためにキャリアアグリゲーションを使用する送信の間にレーダー使用(たとえば、1次ユーザ使用)を走査するステップをさらに含み得る。方法80はまた、自己干渉消去回路を使用して、受信信号からの送信によって引き起こされた干渉を少なくとも部分的に消去するステップを含み得る。方法80はまた、受信信号がレーダー使用を示すかどうかを決定するステップを含み得る。
【００４８】
図5を参照すると、同時に送信しながら1次ユーザの検出を実行するために自己干渉消去を選択的に使用するための例示的なシステム400が表示される。たとえば、システム400は、スモールセルノード16(図1)内に少なくとも部分的に存在し得る。たとえば、UE18および20など、他のワイヤレスデバイスはまた、同時に送信しながら、レーダー検出を実行するために自己干渉消去を選択的に使用するためのシステム400を含み得る。システム400は、プロセッサ、ソフトウェア、またはそれらの組合せ(たとえば、ファームウェア)によって実装される機能を表す機能ブロックであり得る機能ブロックを含むものとして表されていることを諒解されたい。システム400は、連携して動作することができる電気的構成要素の論理グルーピング402を含む。たとえば、論理グルーピング402は、共有スペクトル内で送信をスケジュールするための電気的構成要素404を含み得る。一態様では、電気的構成要素404は、スケジューリング構成要素34(図1)を含み得る。
【００４９】
一態様では、論理グルーピング402は、受信信号を取得するために送信の間に共有スペクトルの少なくとも一部を走査するための電気的構成要素406を含み得る。一態様では、電気的構成要素406は、受信機42(図1)を含み得る。
【００５０】
加えて、論理グルーピング402は、受信信号上の送信によって引き起こされた干渉を受信信号から少なくとも部分的に消去するための電気的構成要素408を含み得る。電気的構成要素408は、自己干渉消去回路を使用して受信信号を処理することによって消去を実行することができる。一態様では、電気的構成要素408はSIC回路32(図1)を含み得る。
【００５１】
加えて、論理グルーピング402は、受信信号が共有スペクトルの1次ユーザによる使用を示すかどうかを決定するための電気的構成要素410を含み得る。一態様では、電気的構成要素410は、DFS構成要素30(図1)を含み得る。
【００５２】
加えて、システム400は、電気的構成要素404、406、408、および410に関連付けられた機能を実行するための命令を保持して、電気的構成要素404、406、408、および410によって使用または取得されるデータを記憶するメモリ412を含み得る。電気的構成要素404、406、408、および410は、メモリ412の外部にあるものとして示されているが、これらの電気的構成要素のうちの1つまたは複数は、メモリ408内に存在し得ることを理解されたい。一例では、電気的構成要素404、406、408、および410は、少なくとも1つのプロセッサを含むことができ、または、各電気的構成要素404、406、408、および410は、少なくとも1つのプロセッサの対応するモジュールとすることができる。その上、追加または代替の例では、電気的構成要素404、406、408、および410は、コンピュータ可読媒体を含むコンピュータプログラム製品とすることができ、各電気的構成要素404、406、408、および410は、対応するコードとすることができる。
【００５３】
図6を参照すると、同時に送信しながらレーダー検出を実行するために自己干渉消去を選択的に使用するための例示的なシステム500が表示される。たとえば、システム500は、スモールセルノード16(図1)内に少なくとも部分的に存在し得る。システム500は、プロセッサ、ソフトウェア、またはそれらの組合せ(たとえば、ファームウェア)によって実装される機能を表す機能ブロックであり得る機能ブロックを含むものとして表されていることを諒解されたい。システム500は、連携して動作することができる電気的構成要素の論理グルーピング502を含む。たとえば、論理グルーピング502は、キャリアアグリゲーションが送信のために使用されることになると決定するための電気的構成要素504を含み得る。一態様では、電気的構成要素504は、スケジューリング構成要素34(図1)を含み得る。
【００５４】
加えて、論理グルーピング502は、キャリアアグリゲーションのための潜在的キャリアがレーダー検出の対象であると決定するための電気的構成要素506を含み得る。一態様では、電気的構成要素506は、DFS構成要素30(図1)を含み得る。
【００５５】
加えて、論理グルーピング502は、潜在的キャリアを含めて、キャリアの潜在的な組合せに関する自己干渉消去複雑度を決定するための電気的構成要素508を含み得る。一態様では、電気的構成要素508は、SIC回路32(図1)を含み得る。
【００５６】
加えて、論理グルーピング502は、自己干渉消去複雑度に少なくとも部分的に基づいて、キャリアアグリゲーションのために1つまたは複数のキャリアを選択するための電気的構成要素510を含み得る。一態様では、電気的構成要素510は、チャネル選択構成要素38(図1)を含み得る。
【００５７】
加えて、システム500は、電気的構成要素504、506、508、および510に関連付けられた機能を実行するための命令を保持して、電気的構成要素504、506、508、および510によって使用または取得されるデータを記憶するメモリ512を含み得る。電気的構成要素504、506、508、および510は、メモリ512の外部にあるものとして示されているが、これらの電気的構成要素のうちの1つまたは複数は、メモリ508内に存在し得ることを理解されたい。一例では、電気的構成要素504、506、508、および510は、少なくとも1つのプロセッサを含むことができ、または、各電気的構成要素504、506、508、および510は、少なくとも1つのプロセッサの対応するモジュールとすることができる。その上、追加または代替の例では、電気的構成要素504、506、508、および510は、コンピュータ可読媒体を含むコンピュータプログラム製品とすることができ、各電気的構成要素504、506、508、および510は、対応するコードとすることができる。
【００５８】
図7は、本開示の態様による、電気通信システムにおけるダウンリンクフレーム構造の一例を概念的に示すブロック図である。ダウンリンクのための送信タイムラインは、無線フレーム602を単位にして区切ることができる。各無線フレーム602は、事前に決定された期間(たとえば10ミリ秒(ms))を持つことができ、0から9のインデックスを用いる10のサブフレーム604に区分され得る。各サブフレーム604は2個のスロット606および608を含み得る。各無線フレームは、したがって、0から19のインデックスを用いる20のスロットを含み得る。各スロットは、Lのシンボル期間、たとえば、ノーマルサイクリックプレフィックス(図6に示す)のための7のシンボル期間または拡張サイクリックプレフィックス(図示せず)のための14のシンボル期間を含み得る。各サブフレーム604内の2Lのシンボル期間は、0から2L-1のインデックスを割り当てられ得る。利用可能な時間周波数リソースは、リソースブロックに区分され得る。各リソースブロックは、1つのスロットにおいてNのサブキャリア(たとえば、12のサブキャリア)をカバーし得る。
【００５９】
上で論じたように、1次ユーザ検出期間はサブフレームレベルでスケジュールされ得る。たとえば、図7に示すように、連続サブフレーム2および3は、1次ユーザ検出期間としてスケジュールされ得る。サブフレーム2および3の間、SISO送信をスケジュールすることができる。同様に、サブフレーム7、8、および9に関して、別の1次ユーザ検出期間をスケジュールすることができる。トラフィック負荷に応じて、サブフレーム6、7、および8は、何の送信もスケジュールされない自然送信ギャップであり得る。したがって、SIC回路32は、サブフレーム7、8、および9の間に迂回または無効化され得る。別の態様では、SISO送信は、サブフレーム7、8、および9に関してスケジュールされることも可能である。サブフレーム0、1、4、5、および9など、他のサブフレームはMIMO送信のために使用され得る。
【００６０】
UE(たとえばLTEアドバンスト対応のUE)は、送信および受信に使用される100MHz(5コンポーネントキャリア)の合計までのキャリアアグリゲーションで割り振られた最大20MHz帯域幅のスペクトルを使用し得る。LTEアドバンスト対応のワイヤレス通信システムについて、図8および図9にそれぞれ示されている、連続的CAおよび非連続的CAという2つのタイプのキャリアアグリゲーション(CA)方法が提案されている。複数の利用可能なコンポーネントキャリア(たとえば、LTEキャリア1、LTEキャリア2、LTEキャリア3)が相互に隣接しているとき、連続的CAが発生する(図8に示す)。他方では、複数の隣接していない利用可能なコンポーネントキャリア(たとえば、LTEキャリア1、LTEキャリア2、LTEキャリア3)が周波数帯域に沿って分離されているとき、非連続的CAが発生する(図9に示す)。非連続CAおよび連続CAは、LTEアドバンストUEの単一ユニットにサービスを提供するために複数のコンポーネントキャリアを統合することができる。様々な例において、マルチキャリアシステム(キャリアアグリゲーションとも呼ばれる)で動作するUEは、「一次キャリア」と呼ばれ得る、同じキャリアにおいて、制御およびフィードバックの関数など複数のキャリアの特定の関数を統合するように構成される。サポートのためにプライマリキャリアに依存する残りのキャリアは、「関連付けられた2次キャリア」と呼ばれ得る。たとえば、UEは、オプションの専用チャネル(DCH)、スケジュール外の許可、物理アップリンク制御チャネル(PUCCH)、および/または物理ダウンリンク制御チャネル(PDCCH)によって提供されるものなど制御関数を統合することができる。
【００６１】
無認可スペクトルの一部内で、5GHz帯域、たとえば、スペクトルの一部の帯域または部分だけがレーダー検出およびDFSの対象であり得る。たとえば、図8で、部分710はDFSを必要としないU-NII 1帯域であり得るのに対して、部分712はDFSを必要とするU-NII 2帯域であり得る。上で論じたように、潜在的コンポーネントキャリア、たとえば、LTEキャリア3が、DFSが必要とされるスペクトルの一部内にある場合、干渉を十分に低減して、レーダー検出を可能にするために自己干渉消去が使用され得る。図8に示すように連続キャリアの統合は比較的簡単であり得る。
【００６２】
図9で、部分810はDFSを必要としないU-NII 1帯域であり得るのに対して、部分812はDFSを必要とするU-NII 2帯域であり得る。示すように、潜在的コンポーネントキャリア804および806は両方とも、DFSを必要とする部分812内に位置し得るのに対して、コンポーネントキャリア802はコンポーネントキャリア802がDFSを必要としない部分810内に位置する。上で論じたように、バンド内非連続キャリアアグリゲーションの場合、自己干渉消去は複雑であり得る。他方で、SIC回路32は、非連続バンド間に関する自己干渉消去の複雑度を少なくするためのフィルタを含み得る。したがって、コンポーネントキャリア804および806を使用した送信の自己干渉消去は、コンポーネントキャリア802および804を使用した送信の自己干渉消去よりも複雑であり得る。
【００６３】
図10は、ネットワーク環境内でのアクセスポイント基地局の展開を可能にするための例示的な通信システムを示す図である。図10に示すように、システム900は、各々が、たとえば、1つまたは複数のユーザ滞在地930など、対応する小規模ネットワーク環境に設置され、関連するほか、異種のユーザ機器(UE)920にサービスするように構成された複数のアクセスポイント基地局、または、たとえば、HNB910など、ホームノードBユニット(HNB)もしくはスモールセルを含む。HNB910は、同時の送信および1次ユーザ検出のために自己干渉消去を適応的に使用するためのDFS構成要素30を含むスモールセルノード16の一例であり得る。各HNB910は、DSLルータ(図示せず)、または代わりにケーブルモデム(図示せず)を介して、インターネット940およびモバイル事業者コアネットワーク950にさらに結合される。
【００６４】
本明細書で説明する実施形態は3GPP用語を使用しているが、実施形態が3GPP(Rel99、Rel5、Rel6、Rel7)技術、ならびに3GPP2(1xRTT、1xEV-DO Rel0、RevA、RevB)技術、ならびに他の既知のおよび関連する技術に適用され得ることを理解されたい。本明細書で説明するそのような実施形態では、HNB910の所有者は、モバイル事業者コアネットワーク950によって提供される、たとえば、3Gモバイルサービスなどのモバイルサービスに加入し、UE920は、マクロセルラー環境と宅内の小規模ネットワーク環境の両方において動作することが可能である。したがって、HNB910は、任意の既存のUE920との後方互換性がある。
【００６５】
さらに、マクロセルモバイルネットワーク950に加えて、UE920は、所定の数のHNB910、すなわち、ユーザ滞在地930内にあるHNB910によってサービスされ得、マクロネットワーク950によるソフトハンドオーバ状態にはなり得ない。UE920は、マクロネットワーク950またはHNB910のいずれかと通信することはできるが、両方同時に通信することはできない。HNB910と通信する許可がUE920に与えられている限り、ユーザ滞在地内で、UE920が関連するHNB910とのみ通信することが望まれる。
【００６６】
図11を参照すると、一態様では、DFS構成要素30(図1)を含む、スモールセルノード16(図1)および/またはユーザ機器(UE)18、20のうちの1つまたは複数は、特別にプログラムまたは構成されたコンピュータデバイス1000によって表され得る。実装形態の一態様では、コンピュータデバイス1000は、特別にプログラムされたコンピュータ可読命令もしくはコード、ファームウェア、ハードウェア、またはそれらの何らかの組合せの中になど、DFS構成要素30(図1)を含み得る。コンピュータデバイス1000は、本明細書で説明する構成要素および機能のうちの1つまたは複数に関連付けられる処理機能を実行するためのプロセッサ1002を含む。プロセッサ1002は、単一または複数のセットのプロセッサまたはマルチコアプロセッサを含み得る。さらに、プロセッサ1002は、統合処理システムおよび/または分散処理システムとして実装され得る。
【００６７】
コンピュータデバイス1000は、本明細書で使用するデータ、および/またはプロセッサ1002によって実行されているアプリケーションのローカルバージョンを記憶するなどのためのメモリ1004をさらに含む。メモリ1004は、ランダムアクセスメモリ(RAM)、読出し専用メモリ(ROM)、テープ、磁気ディスク、光ディスク、揮発性メモリ、不揮発性メモリ、およびそれらの任意の組合せなどの、コンピュータによって使用可能な任意のタイプのメモリを含み得る。
【００６８】
さらに、コンピュータデバイス1000は、本明細書で説明するような、ハードウェア、ソフトウェア、およびサービスを利用して、1つまたは複数の相手との通信を確立し維持することを可能にする通信構成要素1006を含む。通信構成要素1006は、コンピュータデバイス1000上の構成要素間の通信、ならびに、コンピュータデバイス1000と、通信ネットワークにわたって位置するデバイス、および/またはコンピュータデバイス1000にシリアルに、もしくはローカルに接続されたデバイスなどの外部デバイスとの間の通信を搬送することができる。たとえば、通信構成要素1006は、1つまたは複数のバスを含むことができ、送信機および受信機にそれぞれ関連付けられる送信チェーン構成要素および受信チェーン構成要素、または外部デバイスとのインターフェースを構成するように動作可能なトランシーバをさらに含むことができる。追加の態様では、通信構成要素1006は、1つまたは複数の加入者ネットワークから1つまたは複数のページを受信するように構成され得る。さらなる態様では、そのようなページは、第2の加入に対応することができ、第1の技術タイプの通信サービスを介して受信され得る。
【００６９】
加えて、コンピュータデバイス1000は、データストア1008をさらに含んでもよく、データストア1008は、本明細書で説明する態様に関して採用される情報、データベース、およびプログラムの大容量ストレージを実現する、ハードウェアおよび/またはソフトウェアの任意の適切な組合せとすることができる。たとえば、データストア1008は、プロセッサ1002によって現在実行されていないアプリケーションおよび/または任意のしきい値もしくは指位置値のためのデータリポジトリであり得る。
【００７０】
コンピュータデバイス1000は、コンピュータデバイス1000のユーザから入力を受信するように動作可能であり、ユーザへの提示のための出力を生成するようにさらに動作可能な、ユーザインターフェース構成要素1010をさらに含み得る。ユーザインターフェース構成要素1010は、限定はしないが、キーボード、ナンバーパッド、マウス、タッチセンサー式ディスプレイ、ナビゲーションキー、ファンクションキー、マイクロフォン、音声認識構成要素、ユーザからの入力を受信することが可能な任意の他の機構、またはそれらの任意の組合せを含む、1つまたは複数の入力デバイスを含み得る。さらに、ユーザインターフェース構成要素1010は、限定はしないが、ディスプレイ、スピーカー、触覚フィードバック機構、プリンタ、ユーザに出力を提示することが可能な任意の他の機構、またはそれらの任意の組合せを含む、1つまたは複数の出力デバイスを含み得る。
【００７１】
図12は、たとえば、図1のDFS構成要素30を含み、スモールセルのカバレージエリアを最適化するための方法など、本開示の態様を実行するための処理システム1114を採用する、装置1100のためのハードウェア実装態様の一例を示すブロック図である。この例では、処理システム1114は、バス1102によって全般的に表されるバスアーキテクチャで実装され得る。バス1102は、処理システム1114の特定の適用例および全体的な設計制約に応じて、任意の数の相互接続するバスおよびブリッジを含むことができる。バス1102は、プロセッサ1104によって全般的に表される1つまたは複数のプロセッサと、コンピュータ可読媒体1106によって全般的に表されるコンピュータ可読媒体と、限定はしないが、DFS構成要素30(図1)など、本明細書で説明する1つまたは複数の構成要素とを含む、様々な回路を互いにリンクさせる。バス1102は、タイミングソース、周辺機器、電圧調整器、および電力管理回路などの様々な他の回路をリンクさせてもよいが、これらの回路は当技術分野でよく知られており、したがって、これ以上は説明しない。バスインターフェース1108は、バス1102とトランシーバ1110との間のインターフェースを提供する。トランシーバ1110は、送信媒体を通じて様々な他の装置と通信するための手段を提供する。装置の性質に応じて、ユーザインターフェース1112(たとえば、キーパッド、ディスプレイ、スピーカー、マイクロフォン、ジョイスティック)が設けられてもよい。
【００７２】
プロセッサ1104は、バス1102の管理と、コンピュータ可読媒体1106上に記憶されたソフトウェアの実行を含む一般的な処理とを担う。ソフトウェアは、プロセッサ1104によって実行されると、任意の特定の装置のために以下で説明される様々な機能を処理システム1114に実行させる。コンピュータ可読記憶媒体1106は、ソフトウェアを実行するときにプロセッサ1104によって操作されるデータを記憶するためにも使用され得る。上で説明したようなDFS構成要素30は、プロセッサ1104によって、もしくはコンピュータ可読媒体1106によって、またはプロセッサ1104とコンピュータ可読媒体1106の任意の組合せによって、全体的にまたは部分的に実装され得る。
【００７３】
図13は、ワイヤレス通信システム10(図1)の様々な装置を採用するロングタームエボリューション(LTE)ネットワークアーキテクチャ1200を示す図であり、1つまたは複数のスモールセルノード16(図1)を含み得る。LTEネットワークアーキテクチャ1200は、発展型パケットシステム(EPS:Evolved Packet System)1200と呼ばれ得る。EPS1200は、1つまたは複数のユーザ機器(UE)1202、発展型UMTS地上波無線アクセスネットワーク(E-UTRAN:Evolved UMTS Terrestrial Radio Access Network)1204、発展型パケットコア(EPC:Evolved Packet Core)1280、ホーム加入者サーバ(HSS:Home Subscriber Server)1220、および事業者のIPサービス1222を含み得る。EPSは、他のアクセスネットワークと相互接続することができるが、簡単化のために、それらのエンティティ/インターフェースは図示されていない。示すように、EPSはパケット交換サービスを提供するが、当業者は、本開示全体にわたって提示された様々な概念は、回路交換サービスを提供するネットワークに拡張され得ることが容易に理解できるであろう。
【００７４】
E-UTRANは、発展型ノードB(eNB:evolved Node B)1206および他のeNB1208を含む。eNB1206および1208は、各々、自己干渉消去を使用して同時の送信および1次ユーザ検出を可能にするためのDFS構成要素30を含むスモールセルノード16の一例であり得る。eNB1206は、UE1202に対してユーザプレーンプロトコル終端と制御プレーンプロトコル終端とを提供する。eNB1208は、X2インターフェース(すなわち、バックホール)を介して他のeNB1208に接続され得る。eNB1206は、当業者によって、基地局、トランシーバ基地局、無線基地局、無線トランシーバ、トランシーバ機能、基本サービスセット(BSS)、小規模セル、拡張サービスセット(ESS)と呼ばれるか、または何らかの他の適切な用語で呼ばれることもある。eNB1206は、UE1202のためにEPC1280へのアクセスポイントを提供する。UE1202の例には、セルラーフォン、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスがある。UE1202は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００７５】
eNB1206は、S1インターフェースによってEPC1280に接続される。EPC1280は、モビリティ管理エンティティ(MME:Mobility Management Entity)1262、他のMME1264、サービングゲートウェイ1266、およびパケットデータネットワーク(PDN:Packet Data Network)ゲートウェイ1268を含む。MME1262は、UE1202とEPC1280との間のシグナリングを処理する制御ノードである。一般に、MME1262は、ベアラおよび接続の管理を行う。すべてのユーザIPパケットは、サービングゲートウェイ1266を通じて転送され、サービングゲートウェイ1266自体は、PDNゲートウェイ1268に接続される。PDNゲートウェイ1268は、UEのIPアドレスの割振りだけでなく、他の機能も提供する。PDNゲートウェイ1268は、事業者のIPサービス1222に接続される。事業者のIPサービス1222は、インターネット、イントラネット、IPマルチメディアサブシステム(IMS:IP Multimedia Subsystem)、およびPSストリーミングサービス(PSS:PS Streaming Service)を含む。
【００７６】
図14を参照すると、UTRANアーキテクチャにおけるアクセスネットワーク1300が示されており、アクセスネットワーク1300は、1つまたは複数の基地局またはスモールセルノード16(図1)を含み得る。多元接続ワイヤレス通信システムは、セル1302、1304、および1306を含む複数のセルラー領域(セル)を含み、セルの各々は、DFS構成要素30を有する、図1のスモールセルノード16によって提供され得る1つまたは複数のセクタを含み得る。複数のセクタはアンテナのグループによって形成することが可能であり、各々のアンテナがセルの一部分にあるUEとの通信を担う。たとえば、セル1302内で、アンテナグループ1312、1314、および1316は、各々異なるセクタに対応する場合がある。セル1304内で、アンテナグループ1319、1320、および1322は各々、異なるセクタに対応する。セル1306内で、アンテナグループ1324、1326、および1328は各々、異なるセクタに対応する。セル1302、1304、および1306は、各セル1302、1304、または1306の1つまたは複数のセクタと通信していてもよい、たとえば、図1のUE16および18を含む、いくつかのワイヤレス通信デバイス、たとえば、ユーザ機器すなわちUEを含み得る。たとえば、UE1330および1332は、NodeB1342と通信していてもよく、UE1334および1336は、NodeB1344と通信していてもよく、UE1338および1340は、NodeB1346と通信していてもよい。ここで、各NodeB1342、1344、1346は、それぞれのセル1302、1304、および1306の中のすべてのUE1330、1332、1334、1336、1338、1340にアクセスポイントを提供するように構成される。加えて、各NodeB1342、1344、1346およびUE1330、1332、1334、1336、1338、1340は、図1のUE18、20であってもよく、本明細書で概説した方法を実行し得る。
【００７７】
UE1334がセル1304における示したロケーションからセル1306に移動するとき、UE1334との通信がソースセルと呼ばれることがあるセル1304からターゲットセルと呼ばれることがあるセル1306に移行する、サービングセル変更(SCC)またはハンドオーバが生じる場合がある。UE1334において、それぞれのセルに対応するNodeBにおいて、EPC1280(図12)において、またはワイヤレスネットワークにおける別の適切なノードにおいて、ハンドオーバ手順の管理が生じ得る。たとえば、ソースセル1304との呼の間、または任意の他の時間において、UE1334は、ソースセル1304の様々なパラメータならびにセル1306および1302などの隣接セルの様々なパラメータを監視し得る。さらに、これらのパラメータの品質に応じて、UE1334は、隣接セルのうちの1つまたは複数との通信を維持し得る。この時間中に、UE1334は、アクティブセット、すなわち、UE1334が同時に接続されるセルのリストを維持し得る(すなわち、ダウンリンク専用物理チャネルDPCHまたはフラクショナルダウンリンク専用物理チャネルF-DPCHをUE1334に現在割り当てているUTRAセルが、アクティブセットを構成し得る)。
【００７８】
さらに、アクセスネットワーク1300によって採用される変調方式および多元接続方式は、展開されている特定の電気通信規格に応じて異なる場合がある。例として、規格は、エボリューションデータオプティマイズド(EV-DO:Evolution-Data Optimized)またはウルトラモバイルブロードバンド(UMB)を含み得る。EV-DOおよびUMBは、CDMA2000規格ファミリーの一部として第3世代パートナーシッププロジェクト2(3GPP2)によって公表されたエアインターフェース規格であり、CDMAを採用して移動局にブロードバンドインターネットアクセスを提供する。規格は代替的に、広帯域CDMA(WCDMA（登録商標）)およびTD-SCDMAなどのCDMAの他の変形形態を用いユニバーサル地上波無線アクセス(UTRA)、TDMAを採用するモバイル通信用グローバルシステム(GSM（登録商標）)、ならびにOFDMAを用いる発展型UTRA(E-UTRA)、ウルトラモバイルブロードバンド(UMB)、IEEE 802.11(Wi-Fi)、IEEE 802.16(WiMAX)、IEEE 802.20、およびFlash-OFDMであってもよい。UTRA、E-UTRA、UMTS、LTE、LTEアドバンスト、およびGSM（登録商標）は、3GPP団体による文書に記述されている。CDMA2000およびUMBについては、3GPP2団体による文書に記載されている。採用される実際のワイヤレス通信規格および多元接続技術は、具体的な適用例およびシステムに課された全体的な設計制約に依存する。
【００７９】
図15は、本開示の態様に従って構成された代表的なeNodeB1410および代表的なUE1420を概念的に示すブロック図である。たとえば、図15に示す基地局/eNodeB1410およびUE1420は、それぞれ、図1の動的周波数選択構成要素30を有するスモールセルノード16のうちの1つ、およびUE16または18のうちの1つであり得る。基地局1410は、アンテナ14341-tを装備することができ、UE1420は、アンテナ14521-rを装備することができ、tおよびrは1以上の整数である。
【００８０】
基地局1410において、基地局送信プロセッサ1420は、基地局データソース1412からデータを受信し、基地局コントローラ/プロセッサ1440から制御情報を受信し得る。制御情報は、PBCH、PCFICH、PHICH、PDCCHなどで搬送され得る。データは、PDSCHなどで搬送され得る。基地局送信プロセッサ1420は、データシンボルおよび制御シンボルをそれぞれ取得するために、データおよび制御情報を処理(たとえば、符号化およびシンボルマッピング)し得る。基地局送信プロセッサ1420は、また、たとえば、PSS、SSS、およびセル固有の基準信号(RS)について、参照シンボルを生成し得る。基地局送信(TX)多入力多出力(MIMO)プロセッサ1430は、データシンボル、制御シンボル、および/または参照シンボルに対して空間処理(たとえば、プリコーディング)を実行することができ、適用可能な場合、基地局変調器/復調器(MOD/DEMOD)14321-tに出力シンボルストリームを提供し得る。各基地局変調器/復調器1432は、(たとえば、OFDMなどに関する)それぞれの出力シンボルストリームを処理して、出力サンプルストリームを取得することができる。各基地局変調器/復調器1432は、ダウンリンク信号を取得するために、出力サンプルストリームをさらに処理(たとえば、アナログに変換、増幅、フィルタ、およびアップコンバート)し得る。変調器/復調器14321-tからのダウンリンク信号は、アンテナ14341-tを介してそれぞれ送信され得る。
【００８１】
UE1420で、UEアンテナ14521-rは、基地局1410からダウンリンク信号を受信することができ、UE変調器/復調器(MOD/DEMOD)14541-rに、受信された信号をそれぞれ提供し得る。各UE変調器/復調器1454は、入力サンプルを取得するために、それぞれの受信された信号を調整(たとえば、フィルタ、増幅、ダウンコンバート、およびデジタル化)し得る。各UE変調器/復調器1454は、受信されたシンボルを取得するために、(たとえばOFDMなどに対して)入力サンプルをさらに処理し得る。UE MIMO検知器1456は、すべてのUE変調器/復調器14541-rから、受信されたシンボルを取得し、適用可能な場合、受信されたシンボルに対してMIMO検出を実行し、検出されたシンボルを提供し得る。UE受信プロセッサ1458は、検出されたシンボルを処理(たとえば、復調、デインターリーブ、および復号)し、UE1420のための復号されたデータをUEデータシンク1460に提供し、かつ復号された制御情報をUEコントローラ/プロセッサ1480に提供することができる。
【００８２】
アップリンクにおいて、UE1420で、UE送信プロセッサ1464は、UEデータソース1462からの(たとえばPUSCHに対する)データおよびUEコントローラ/プロセッサ1480からの(たとえばPUCCHに対する)制御情報を受信および処理し得る。UE送信プロセッサ1464は、また、基準信号に対して参照シンボルを生成し得る。適用可能な場合、UE送信プロセッサ1464からのシンボルは、UE TX MIMOプロセッサ1466によってプリコーディングされ、(たとえばSC-FDMに対して)UE変調器/復調器14541-rによってさらに処理され、基地局1410へ送信され得る。基地局1410で、UE1420からのアップリンク信号は、基地局アンテナ1434によって受信され、基地局変調器/復調器1432によって処理され、適用可能である場合、基地局MIMO検知器1436によって検出され、UE1420によって送られた復号されたデータおよび制御情報を取得するために、基地局受信プロセッサ1438によってさらに処理され得る。基地局受信プロセッサ1438は、復号されたデータを基地局データシンク1446に、復号された制御情報を基地局コントローラ/プロセッサ1440に提供し得る。
【００８３】
基地局コントローラ/プロセッサ1440およびUEコントローラ/プロセッサ1480は、基地局1410およびUE1420での動作をそれぞれ指示し得る。基地局1410で基地局コントローラ/プロセッサ1440ならびに/または他のプロセッサおよびモジュールは、たとえば、本明細書に記述された技法に対する様々なプロセスの実施を実行または指示し得る。UE1420でUEコントローラ/プロセッサ1480ならびに/または他のプロセッサおよびモジュールは、また、たとえば、図2、図3および図4に示した機能的ブロックの実施および/または本明細書に記述された技法に対する他のプロセスを実行または指示し得る。基地局メモリ1442およびUEメモリ1482は、基地局1410およびUE1420についてデータおよびプログラムコードをそれぞれ記憶し得る。スケジューラ1444は、ダウンリンクおよび/またはアップリンクのデータ送信のためにUE1420をスケジュールし得る。スケジューラ1444は、スケジューリング構成要素34(図1)であり得、DFS構成要素30の一部であり得る。DFS構成要素30は、変調器/復調器1432、受信プロセッサ1438、コントローラ/プロセッサ1440、メモリ1442、送信プロセッサ1420、および/または変調器/復調器1432をさらに含み得るか、またはそれらによって実装され得る。別の態様では、UE1420はまた、たとえば、レーダー使用を検出しながらアップリンク方向に同時に送信するために、またはホットスポットまたはアクセススポットとして働く間にレーダー使用を検出するために使用され得るDFS構成要素30を含み得る。
【００８４】
通信システムのいくつかの態様をWCDMA（登録商標）システムを参照して提示した。当業者が容易に諒解するように、本開示全体にわたって説明した様々な態様は、他の電気通信システム、ネットワークアーキテクチャ、および通信規格に拡張されてもよい。
【００８５】
例として、様々な態様は、TD-SCDMA、高速ダウンリンクパケットアクセス(HSDPA:High Speed Downlink Packet Access)、高速アップリンクパケットアクセス(HSUPA:High Speed Uplink Packet Access)、高速パケットアクセスプラス(HSPA+:High Speed Packet Access Plus)およびTD-CDMAなどの他のUMTSシステムに拡張されてもよい。様々な態様はまた、ロングタームエボリューション(LTE)(FDD、TDD、またはこれら両方のモードの)、LTEアドバンスト(LTE-A)(FDD、TDD、またはこれら両方のモードの)、CDMA2000、エボリューションデータオプティマイズド(EV-DO)、ウルトラモバイルブロードバンド(UMB)、IEEE 802.11(Wi-Fi)、IEEE802.16(WiMAX)、IEEE802.20、ウルトラワイドバンド(UWB:Ultra-Wideband)、Bluetooth（登録商標）、および/または他の適切なシステムを利用するシステムに拡張されてもよい。採用される実際の電気通信標準規格、ネットワークアーキテクチャ、および/または通信規格は、具体的な用途、およびシステムに課される全体的な設計制約によって決まる。
【００８６】
本開示の様々な態様によれば、要素、または要素の任意の部分、または要素の任意の組合せは、1つまたは複数のプロセッサを含む「処理システム」で実装され得る。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明した様々な機能を実行するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。ソフトウェアは、コンピュータ可読媒体上に存在し得る。コンピュータ可読媒体は、非一時的コンピュータ可読媒体であり得る。非一時的コンピュータ可読媒体は、例として、磁気記憶デバイス(たとえば、ハードディスク、フロッピーディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み取られ得るソフトウェアおよび/または命令を記憶するための任意の他の適切な媒体を含む。
【００８７】
コンピュータ可読媒体は、例として、搬送波、伝送線路、ならびに、コンピュータによってアクセスされ、読み取られ得るソフトウェアおよび/または命令を送信するための任意の他の適切な媒体も含み得る。コンピュータ可読媒体は、処理システム内に存在するか、処理システムの外部に存在するか、または処理システムを含む複数のエンティティにわたって分散される場合がある。コンピュータ可読媒体は、コンピュータプログラム製品において具現化され得る。例として、コンピュータプログラム製品は、パッケージング材料の中のコンピュータ可読媒体を含んでよい。当業者は、具体的な適用例および全体的なシステムに課された設計制約全体に応じて、本開示全体にわたって提示された、説明した機能を最善の形で実施する方法を認識するであろう。
【００８８】
開示した方法におけるステップの具体的な順序または階層は、例示的なプロセスの例示であることを理解されたい。設計の選好に基づいて、方法におけるステップの具体的な順序または階層は再構成され得ることを理解されたい。添付の方法クレームは、様々なステップの要素を例示的な順序で提示したものであり、そのクレーム内で具体的に列挙されない限り、提示された具体的な順序または階層に限定されることは意図されない。
【００８９】
上記の説明は、本明細書で説明した様々な態様を当業者が実施できるようにするために与えられている。これらの態様に対する様々な変更形態は、当業者に容易に明らかになり、本明細書において規定される一般原理は、他の態様に適用される場合がある。したがって、特許請求の範囲は本明細書において示される態様に限定されることを意図するものではなく、特許請求の範囲の文言と一致するすべての範囲を許容すべきであり、単数の要素への言及は、「唯一の」と明記されない限り、「唯一の」ではなく、「1つまたは複数の」を意味することを意図している。別段に明記されていない限り、「いくつかの」という用語は1つまたは複数の、を指す。項目のリスト「のうちの少なくとも1つ」について言及する句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcを含むことが意図される。当業者に知られているまたは後で当業者に知られることになる、本開示全体にわたって説明した様々な態様の要素の構造的および機能的なすべての均等物は、参照により本明細書に明確に組み込まれ、特許請求の範囲によって包含されることが意図される。さらに、本明細書に開示されたものは、そのような開示が特許請求の範囲において明示的に列挙されているかどうかにかかわらず、公に供されることは意図されていない。請求項のいかなる要素も、「のための手段」という句を使用して要素が明確に列挙されていない限り、または方法クレームの場合、「のためのステップ」という句を使用して要素が列挙されていない限り、米国特許法第112条第6項の規定に基づいて解釈されるべきではない。
【００９０】
種々の異なる技術および技法のいずれかを使用して情報および信号が表される場合があることは当業者であれば理解されよう。たとえば、上記の説明全体を通して参照される場合があるデータ、命令、指令、情報、信号、ビット、記号およびチップは、電圧、電流、電磁波、磁場または磁性粒子、光場または光学粒子、あるいはそれらの任意の組合せによって表される場合がある。
【００９１】
本明細書の開示に関連して説明した種々の例示的論理ブロック、モジュール、回路、およびアルゴリズムステップが、電子ハードウェア、コンピュータソフトウェア、または両方の組合せとして実現される場合があることは、当業者であればさらに理解されよう。ハードウェアとソフトウェアのこの互換性を明確に示すために、種々の例示的な構成要素、ブロック、モジュール、回路、およびステップが、これまでその機能に関して包括的に説明されてきた。そのような機能が、ハードウェアとして実現されるか、ソフトウェアとして実現されるかは、特定の適用例およびシステム全体に課される設計制約によって決まる。当業者は、説明された機能を特定の適用例ごとに様々な方法で実現することができるが、そのような実現の判断は、本開示の範囲からの逸脱をもたらすものと解釈されるべきではない。
【００９２】
本明細書の開示に関連して説明した種々の例示的な論理ブロック、モジュール、および回路は、本明細書で説明した機能を実行するように設計された汎用プロセッサ、デジタルシグナルプロセッサ(DSP)、特定用途向け集積回路(ASIC)、フィールドプログラマブルゲートアレイ(FPGA)もしくは他のプログラマブル論理デバイス、個別のゲートもしくはトランジスタロジック、個別のハードウェア構成要素、またはそれらの任意の組合せを用いて、実装または実行することができる。汎用プロセッサはマイクロプロセッサであり得るが、代替として、プロセッサは任意の従来のプロセッサ、コントローラ、マクロコントローラ、または状態機械であり得る。プロセッサはまた、コンピューティングデバイスの組合せ、たとえば、DSPとマイクロプロセッサの組合せ、複数のマイクロプロセッサ、DSPコアと連携した1つもしくは複数のマイクロプロセッサ、または任意の他のそのような構成として実装され得る。
【００９３】
本明細書の開示に関連して説明した方法またはアルゴリズムのステップは、ハードウェアで直接に、プロセッサによって実行されるソフトウェアモジュールにおいて、またはその2つの組合せにおいて具現される場合がある。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または当技術分野で周知の任意の他の形態の記憶媒体内に存在することができる。例示的な記憶媒体は、プロセッサが記憶媒体から情報を読み取り、記憶媒体に情報を書き込むことができるようにプロセッサに結合される。代替形態では、記憶媒体はプロセッサと一体化することができる。プロセッサおよび記憶媒体は、ASICに存在し得る。ASICは、ユーザ端末に存在し得る。代替として、プロセッサおよび記憶媒体は、個別構成要素としてユーザ端末に存在し得る。
【００９４】
1つまたは複数の例示的な設計では、説明される機能は、ハードウェア、ソフトウェア、ファームウェア、またはそれらの任意の組合せで実装される場合がある。ソフトウェアで実現される場合、機能は、1つまたは複数の命令またはコードとして、コンピュータ可読媒体上に記憶されるか、またはコンピュータ可読媒体を介して送信される場合がある。コンピュータ可読媒体は、コンピュータ記憶媒体と、コンピュータプログラムの1つの場所から別の場所への転送を容易にする任意の媒体を含む通信媒体との両方を含む。記憶媒体は、汎用コンピュータまたは専用コンピュータによってアクセスされ得る任意の利用可能な媒体の場合がある。制限することなく例をあげると、そのようなコンピュータ可読媒体は、RAM、ROM、EEPROM、CD-ROM、もしくは他の光学ディスク記憶装置、磁気ディスクストレージまたは他の磁気記憶デバイス、または命令またはデータ構造の形で、望まれるプログラムコード手段を搬送するかまたは記憶するために使用され得て、汎用もしくは専用のコンピュータ、または汎用もしくは専用のプロセッサによってアクセスされ得る他の媒体を含むことができる。また、任意の接続部も、厳密にはコンピュータ可読媒体と呼ばれる。たとえば、ソフトウェアが、同軸ケーブル、光ファイバケーブル、ツイストペア、デジタル加入者線(DSL)、または赤外線、無線、およびマイクロ波などのワイヤレス技術を使用してウェブサイト、サーバ、または他のリモートソースから送信される場合には、同軸ケーブル、光ファイバケーブル、ツイストペア、DSL、または赤外線、無線、およびマイクロ波などのワイヤレス技術は、媒体の定義に含まれる。ディスク(disk)およびディスク(disc)は、本明細書で使用されるときに、コンパクトディスク(disc)(CD)、レーザディスク(disc)、光ディスク(disc)、デジタル多用途ディスク(disc)(DVD)、フロッピーディスク(disk)およびブルーレイディスク(disc)を含み、ディスク(disk)は通常、データを磁気的に再生するが、ディスク(disc)は、レーザを用いてデータを光学的に再生する。上記のものの組合せも、コンピュータ可読媒体の範囲内に含まれるべきである。
【００９５】
本開示の前述の説明は、いかなる当業者も本開示を作製または使用できるようにするために与えられる。本開示に対する様々な修正は、当業者に容易に明らかになり、本明細書で定義する一般原理は、本開示の趣旨または範囲を逸脱することなく、他の変形形態に適用され得る。したがって、本開示は、本明細書で説明する例および設計に限定されるものではなく、本明細書で開示する原理および新規の特徴と一致する最も広い範囲を与えられるべきである。
【符号の説明】
【００９６】
10  電気通信システム
12  レーダーデバイス
14  ワイヤレスネットワーク、ネットワーク
16  スモールセルノード
18  ユーザ機器
20  ユーザ機器
30  DFS構成要素
32  自己干渉消去(SIC)回路
34  スケジューリング構成要素
36  ユーザランク付け構成要素
38  チャネル選択構成要素
40  送信機
42  受信機
60  方法
80  方法
400  システム
402  論理グルーピング
404  共有スペクトル内で送信をスケジュールするための電気的構成要素、電気的構成要素
406  受信信号を取得するために送信の間に共有スペクトルの少なくとも一部を走査するための電気的構成要素、電気的構成要素
408  受信信号上の送信によって引き起こされた干渉を受信信号から少なくとも部分的に消去するための電気的構成要素、電気的構成要素
410  受信信号が共有スペクトルの一次ユーザによる使用を示すかどうかを決定するための電気的構成要素、電気的構成要素
500  システム
502  論理グルーピング
504  キャリアアグリゲーションが送信のために使用されることになると決定するための電気的構成要素、電気的構成要素
506  キャリアアグリゲーションのための潜在的なキャリアがレーダー検出の対象であると決定するための電気的構成要素、電気的構成要素
508  潜在的キャリアを含めて、キャリアの潜在的な組合せに関する自己干渉消去複雑度を決定するための電気的構成要素、電気的構成要素
510  自己干渉消去複雑度に少なくとも部分的に基づいて、キャリアアグリゲーションのために1つまたは複数のキャリアを選択するための電気的構成要素、電気的構成要素
512  メモリ
602  無線フレーム
604  サブフレーム
606  スロット
608  スロット
710  部分
712  部分
802  コンポーネントキャリア
804  コンポーネントキャリア
806  コンポーネントキャリア
810  部分
812  部分
900  システム
910  HNB
920  UE
930  ユーザ滞在地
940  インターネット
950  モバイル事業者コアネットワーク、マクロセルモバイルネットワーク、マクロネットワーク
1000  コンピュータデバイス
1002  プロセッサ
1004  メモリ
1006  通信構成要素
1008  データストア
1010  ユーザインターフェース構成要素
1100  装置
1102  バス
1104  プロセッサ
1106  コンピュータ可読媒体
1108  バスインターフェース
1110  トランシーバ
1112  ユーザインターフェース
1114  処理システム
1200  ロングタームエボリューション(LTE)ネットワークアーキテクチャ、発展型パケットシステム(EPS)
1202  ユーザ機器(UE)
1204  発展型UMTS地上波無線アクセスネットワーク(E-UTRAN)
1206  発展型ノードB(eNB)
1208  他のeNB
1220  ホーム加入者サーバ(HSS)
1222  IPサービス
1262  モビリティ管理エンティティ(MME)
1264  他のMME
1266  サービングゲートウェイ
1268  パケットデータネットワーク(PDN)ゲートウェイ
1280  発展型パケットコア(EPC)
1300  アクセスネットワーク
1302  セル
1304  セル、ソースセル
1306  セル
1312  アンテナグループ
1314  アンテナグループ
1316  アンテナグループ
1319  アンテナグループ
1320  アンテナグループ
1322  アンテナグループ
1324  アンテナグループ
1326  アンテナグループ
1328  アンテナグループ
1330  UE
1332  UE
1334  UE
1336  UE
1338  UE
1340  UE
1342  NodeB
1344  NodeB
1346  NodeB
1410  eNodeB、基地局
1412  基地局データソース
1420  UE、基地局送信プロセッサ、送信プロセッサ
1430  基地局送信(TX)マルチ入力マルチ出力(MIMO)プロセッサ
1432  基地局変調器/復調器、変調器/復調器
14321-t  基地局変調器/復調器(MOD/DEMOD)
1434  基地局アンテナ
14341-t  アンテナ
1436  基地局MIMO検知器
1438  基地局受信プロセッサ、受信プロセッサ
1440  基地局コントローラ/プロセッサ、コントローラ/プロセッサ
1442  基地局メモリ、メモリ
1444  スケジューラ
1446  基地局データシンク
14521-r  アンテナ
1454  UE変調器/復調器
14541-r  UE変調器/復調器(MOD/DEMOD)
1456  UE MIMO検知器
1458  UE受信プロセッサ
1460  UEデータシンク
1462  UEデータソース
1464  UE送信プロセッサ
1466  UE TX MIMOプロセッサ
1480  UEコントローラ/プロセッサ
1482  UEメモリ
【図１】
0006622713.tif 000002
【図２】
0006622713.tif 000003
【図３】
0006622713.tif 000004
【図４】
0006622713.tif 000005
【図５】
0006622713.tif 000006
【図６】
0006622713.tif 000007
【図７】
0006622713.tif 000008
【図８】
0006622713.tif 000009
【図９】
0006622713.tif 000010
【図１０】
0006622713.tif 000011
【図１１】
0006622713.tif 000012
【図１２】
0006622713.tif 000013
【図１３】
0006622713.tif 000014
【図１４】
0006622713.tif 000015
【図１５】
0006622713.tif 000016